(57)【要約】【課題】既存の鍵付保管庫に追加工事により取り付けることが可能な鍵収納装置を提供すること。【解決手段】書類を収納する鍵付保管庫１１，１２，１３の鍵Ｋを保管するための鍵収納装置において、（ａ）鍵付保管庫１１，１２，１３の外板１６に密着して締結するための取付爪４０、ブラケット３８，３９と、鍵Ｋを収納した鍵収納部本体３２を閉鎖する外カバー３０と、外カバー３０の閉鎖状態をロックするロックソレノイド４３とを備える鍵収納箱１４と、（ｂ）個人を識別し、識別した個人に対して鍵収納箱の開放を許可する開放許可指令を送信するパーソナルコンピュータ２０と接続され、開放許可指令を受けて、鍵収納箱１４のロックソレノイド２０を駆動してロックレバー４９のロック解除する制御ユニット１５を有する。【選択図】  図１
2006249889.tif 000002
【特許請求の範囲】
【請求項１】
鍵付保管庫の鍵を保管する鍵収納装置において、
前記鍵付保管庫の外板に密着して締結する締結手段と、前記鍵を使用禁止状態とする鍵ロック手段とを備える鍵収納器と、
個人を識別し、識別した個人に対して前記鍵ロック手段の開放を許可する開放許可指令を送信する個人識別手段と接続され、前記開放許可指令を受けて、前記鍵収納器の前記鍵ロック手段を駆動して前記鍵ロック手段のロックを解除する鍵収納箱開閉制御ユニットとを有することを特徴とする鍵収納装置。
【請求項２】
請求項１に記載する鍵収納装置において、
前記鍵ロック手段が、前記鍵を収納した収納部を閉鎖するカバーと、前記カバーの閉鎖状態をロックするカバーロック手段とを有することを特徴とする鍵収納装置。
【請求項３】
請求項１に記載する鍵収納装置において、
前記鍵ロック手段が、鍵が移動することを禁止する鍵固定手段を有することを特徴とする鍵収納装置。
【請求項４】
請求項２に記載する鍵収納装置において、
前記鍵ロック手段がさらに、鍵が移動することを禁止する鍵固定手段を有することを特徴とする鍵収納装置。
【請求項５】
請求項３または請求項４に記載する鍵収納装置において、
前記鍵固定手段が、前記鍵付保管庫の鍵穴近傍に締結され、
前記鍵と前記鍵収納箱とを連結するワイヤとを有することを特徴とする鍵収納装置。
【請求項６】
請求項５に記載する鍵収納装置において、
前記鍵収納器のうち、前記ワイヤを収納するワイヤ収納ボックスが、前記鍵付保管庫の前記外板の内側に突き出していることを特徴とする鍵収納装置。
【請求項７】
請求項１乃至請求項４に記載する鍵収納装置のいずれか１つにおいて、  
前記鍵ロック手段が、鍵が連結されたキーホルダをロックすることを特徴とする鍵収納装置。
【請求項８】
請求項１乃至請求項４に記載する鍵収納装置のいずれか１つにおいて、  
前記ロック手段が、鍵を直接ロックすることを特徴とする鍵収納装置。
【請求項９】
請求項１乃至請求項８に記載する鍵収納装置のいずれか１つにおいて、
前記鍵を検出する鍵検出器と、前記鍵検出器が前記鍵を検出していないときには、前記カバーロック手段を駆動して閉鎖状態をロックすることを禁止するロック禁止手段とを有することを特徴とする鍵収納装置。
【請求項１０】
請求項２に記載する鍵収納装置において、
前記カバーロック手段を構成するソレノイドが前記外板の内側に取り付けられていることを特徴とする鍵収納装置。
【請求項１１】
請求項１０に記載する鍵収納装置において、
前記鍵収納箱開閉制御ユニットが前記カバーロック手段を駆動するときに、開放可能状態を表示し、開閉スイッチを入れた場合にのみ前記カバーロック手段を解除することを特徴とする鍵収納装置。
【請求項１２】
請求項１乃至１０に記載する鍵収納装置のいずれか１つにおいて、
前記鍵収納器が、ＩＣチップ読取装置を有することを特徴とする鍵収納装置。
【請求項１３】
請求項１乃至１２に記載する鍵収納装置のいずれか１つにおいて、
前記個人識別手段がパーソナルコンピュータであって、携帯電話に内蔵されたＩＣチップを読み込むことにより、個人を識別することを特徴とする鍵収納装置。
【請求項１４】
請求項１乃至１３に記載する鍵収納装置のいずれか１つにおいて、
前記鍵収納箱開閉制御ユニットが、前記個人識別手段の前記開放許可指令に基づいて、前記鍵収納箱を開放した人及び時間を記憶するアクセス記憶手段を有することを特徴とする鍵収納装置。
【請求項１５】
請求項１４に記載する鍵収納装置において、
前記パーソナルコンピュータが複数あって、それらがネットワークによりサーバに接続され、前記サーバが前記鍵収納箱開閉制御ユニットと接続され、
前記サーバが、前記開放許可指令が出ている状態のときに、開放許可指令を予約するための予約手段を有することを特徴とする鍵収納装置。
【発明の詳細な説明】
【技術分野】
【０００１】
本発明は、鍵付保管庫の鍵を保管するための鍵収納装置に関するものである。
【背景技術】
【０００２】
従来、鍵付保管庫がオフィスにおいて広く利用されている。特に、個人情報の保護の傾向が強められている現在では、人事関係等の個人情報は、鍵付保管庫に保管されているのが通常である。さらに、鍵付保管庫の鍵も通常は、管理者が個人的に管理するか、または、集中的に管理するために鍵収納箱を備え、許可を受けた者のみが鍵を取り出せるようなシステムとしている会社が多い。特許文献１にそのシステムの例を示す。
そのようなシステムでは、鍵収納箱の傍に制御装置を設置し、カード読取装置、パスワード入力装置等により個人を識別し、識別した個人に対して予め当該鍵付保管庫の開放が許可されている場合に、鍵収納箱の閉鎖状態のロックを解除して、鍵を取り出すことを可能としている。
【０００３】
また、扉自体のロック機構を自動化して扉のロック機構を作動させる制御装置を設置し、その制御装置をネットワークで、複数のパーソナルコンピュータとサーバに接続し、パーソナルコンピュータから直接扉のロックを解除するシステムも広く提案されている。例としては、特許文献２を参照されたい。
一方、特許文献３には、高齢者が住む住宅に、ホームヘルパが入ることを可能とするために、家の扉の近くに鍵収納箱を設置し、ホームヘルパが携帯するカードを読み取ることにより、鍵収納箱のロック機構を解除して開放可能とし、鍵を取り出すことが記載されている。  
【特許文献１】特開平８−９３２８８号公報
【特許文献２】特開２００１−７６０５０号公報
【特許文献３】特開２０００−１２５９１７号公報
【発明の開示】
【発明が解決しようとする課題】
【０００４】
しかしながら、従来の鍵収納装置には次のような問題があった。
（１）特許文献２に記載された技術では、既存の保管庫を廃却して全て自動ロック機構を備える新品の保管庫に買い換えなければならず、新たにオフィスを開設する場合はともかくとしても、既存のオフィスでは無駄な出費がかかるため実現性が低い。また、現状の市場ニーズを見ても、そこまで管理する必要のないものが多いため、特許文献２のシステムは既存の保管庫に対しては問題があった。
（２）特許文献１に記載された技術では、鍵収納箱に複数の鍵を収納するため、鍵収納箱と、鍵を使って開放したい鍵付保管庫との間に距離があり、使用者に無駄な移動を強い、勤務時間の無駄使いをする問題があった。近年事務部署における効率化、コストダウンにとって問題であった。
（３）特許文献３に記載された技術では、鍵収納箱毎に各々カード読取装置等を必要とするため、鍵収納箱のコストが高くなる問題があった。
【０００５】
そこで、本発明は、上記問題点を解決するためになされたものであり、既存の鍵付保管庫に追加工事により取り付けることが可能な鍵収納装置を提供することを目的とする。
【課題を解決するための手段】
【０００６】
上記目的を達成するために、本発明に係る鍵収納装置は以下の構成を有する。
（１）鍵付保管庫の鍵を保管する鍵収納装置において、（Ａ）鍵付保管庫の外板に密着して締結する締結手段と、鍵を使用禁止状態とする鍵ロック手段とを備える鍵収納器と、（Ｂ）個人を識別し、識別した個人に対して前記鍵ロック手段の開放を許可する開放許可指令を送信する個人識別手段と接続され、前記開放許可指令を受けて、前記鍵収納器の前記鍵ロック手段を駆動して前記鍵ロック手段のロックを解除する鍵収納箱開閉制御ユニットとを有する。
（２）（１）に記載する鍵収納装置において、前記鍵ロック手段が、前記鍵を収納した収納部を閉鎖するカバーと、前記カバーの閉鎖状態をロックするカバーロック手段とを有することを特徴とする。
（３）（１）に記載する鍵収納装置において、前記鍵ロック手段が、鍵が移動することを禁止する鍵固定手段を有することを特徴とする。
【０００７】
（４）（２）に記載する鍵収納装置において、前記鍵ロック手段がさらに、鍵が移動することを禁止する鍵固定手段を有することを特徴とする。
（５）（３）または（４）に記載する鍵収納装置において、前記鍵固定手段が、前記鍵付保管庫の鍵穴近傍に締結され、前記鍵と前記鍵収納箱とを連結するワイヤとを有することを特徴とする。
（６）（５）に記載する鍵収納装置において、前記鍵収納器のうち、前記ワイヤを収納するワイヤ収納ボックスが、前記鍵付保管庫の前記外板の内側に突き出していることを特徴とする。
【０００８】
（７）（１）乃至（４）に記載する鍵収納装置のいずれか１つにおいて、前記鍵ロック手段が、鍵が連結されたキーホルダをロックすることを特徴とする。
（８）（１）乃至（４）に記載する鍵収納装置のいずれか１つにおいて、前記ロック手段が、鍵を直接ロックすることを特徴とする。
（９）（１）乃至（８）に記載する鍵収納装置のいずれか１つにおいて、前記鍵を検出する鍵検出器と、前記鍵検出器が前記鍵を検出していないときには、前記カバーロック手段を駆動して閉鎖状態をロックすることを禁止するロック禁止手段とを有することを特徴とする。
【０００９】
（１０）（２）に記載する鍵収納装置において、前記カバーロック手段を構成するソレノイドが前記外板の内側に取り付けられていることを特徴とする。
（１１）（１０）に記載する鍵収納装置において、前記鍵収納箱開閉制御ユニットが前記カバーロック手段を駆動するときに、開放可能状態を表示し、開閉スイッチを入れた場合にのみ前記カバーロック手段を解除することを特徴とする。
（１２）（１）乃至（１０）に記載する鍵収納装置のいずれか１つにおいて、前記鍵収納器が、ＩＣチップ読取装置を有することを特徴とする。
【００１０】
（１３）（１）乃至（１２）に記載する鍵収納装置のいずれか１つにおいて、前記個人識別手段がパーソナルコンピュータであって、携帯電話に内蔵されたＩＣチップを読み込むことにより、個人を識別することを特徴とする。
（１４）（１）乃至（１３）に記載する鍵収納装置のいずれか１つにおいて、前記鍵収納箱開閉制御ユニットが、前記個人識別手段の前記開放許可指令に基づいて、前記鍵収納箱を開放した人及び時間を記憶するアクセス記憶手段を有することを特徴とする。
（１５）（１４）に記載する鍵収納装置において、前記パーソナルコンピュータが複数あって、それらがネットワークによりサーバに接続され、前記サーバが前記鍵収納箱開閉制御ユニットと接続され、前記サーバが、前記開放許可指令が出ている状態のときに、開放許可指令を予約するための予約手段を有することを特徴とする。
【発明の効果】
【００１１】
上記構成を有する鍵収納装置の作用及び効果を説明する。
本発明の鍵収納装置の鍵収納器は、既存の鍵付保管庫の鍵の近傍に鍵保管庫の外板に穴加工等してボルト等により外板に密着して締結される。これにより、既設の書庫等につい加工すれば、鍵収納器を設置することができる。
（２）に記載する鍵収納器は、鍵を収納した収納部を外部から閉鎖するカバーを有しており、また、カバーの閉鎖状態をロックするカバーロック手段が設けられているので、通常は、カバーロック手段によりカバーが閉鎖状態でロックされているため、鍵を取り出すことができない。
（３）に記載する鍵収納器は、カバーがなく、鍵をロックして移動できなくする鍵ロック手段を有している。
鍵付保管庫内の書類を見る場合には、パーソナルコンピュータの、指紋認証、手の静脈認証、パスワード入力等の個人識別手段により、個人認証を受け、自分が当該鍵付保管庫に対するアクセス権を有することをパーソナルコンピュータに認識してもらうことが必要である。パーソナルコンピュータは、個人を認識した場合には、鍵収納箱の開放を許可する開放許可指令を鍵収納箱開閉制御ユニットに送信する。
【００１２】
鍵収納箱開閉制御ユニットは、当該開放許可指令受けると、該当する鍵収納箱のＬＥＤ開閉スイッチを点灯させる。その個人は、ＬＥＤ開閉スイッチが点灯しているのを確認して、ＬＥＤ開閉スイッチを操作することにより、カバーロック手段を解除して、カバーを移動させて収納されている鍵を取り出して、鍵付保管庫のカバーを開くことができる。ここで、ＬＥＤ開閉スイッチの代わりに、ＩＣチップリーダを取り付ければ、通りかかりの人により書庫が開かれることを防止できる。
鍵は、ワイヤにより、鍵収納箱に連結されているので、鍵を持ち去ることはできない。
また、ワイヤを切断しても、鍵を検出していて、鍵を検出しないとロック手段が作動しないため、装置側で異常を知ることができる。
【００１３】
本発明の鍵収納装置は、書類を収納する鍵付保管庫の鍵を保管する鍵収納装置において、（ａ）鍵付保管庫の外板に密着して締結する締結手段と、鍵を使用禁止状態とする鍵ロック手段とを備える鍵収納器と、（ｂ）個人を識別し、識別した個人に対して鍵収納箱の開放を許可する開放許可指令を送信するパーソナルコンピュータと接続され、開放許可指令を受けて、鍵収納箱のカバーロック手段を駆動してカバーロック手段のロック解除する鍵収納箱開閉制御ユニットとを有するので、既設の鍵付保管庫の複数の鍵の近傍に各々鍵収納器を設けることができ、また、個別の鍵収納器には、識別機能を必要とせず、個人の識別は既存のパソコンを利用できるため、安価かつ適切な鍵保管システムを提供することができる。
【００１４】
さらに、上記（２）に記載する鍵収納器は、カバーを有しているので、鍵の盗難等を防止できる。また、上記（３）に記載する鍵収納器は、カバーがないので安価とすることができる。また、上記（４）に記載する鍵収納器は、カバーと鍵ロック手段とを併用しているので、セキュリティが向上する。
さらに、上記（６）に記載する鍵収納装置の鍵収納箱は、前記鍵収納箱のうち、前記ワイヤを収納するワイヤ収納ボックスが、前記鍵付保管庫の前記外板の内側に突き出しているので、外板の外側に突き出している部分が小さくなるため、既存の鍵付保管庫に後付工事で追加した場合でも、通行等の邪魔になることを少なくできる。
さらに、上記（１０）に記載する鍵収納装置の鍵収納箱は、前記カバーロック手段を構成するソレノイドが、前記鍵保管庫の前記外板の内側に取り付けられているので、外板の外側に突き出している部分が小さくなるため、既存の鍵付保管庫に後付工事で追加した場合でも、通行等の邪魔になることを少なくできる。
【００１５】
上記（１３）に記載する鍵収納装置のパーソナルコンピュータが、携帯電話に内蔵されたＩＣチップを読み込むことにより、個人を識別しているので、余分な物を持つ必要がないため、各人にとって利便性を高めることができる。
上記（１４）に記載する鍵収納装置の鍵収納箱開閉制御ユニットが、鍵を取り出した人、時間を記憶しているので、個人情報の漏洩等の問題が発生したときに、調査することができる。特に、パーソナルコンピュータ側でなく、ユニット側にデータを持たせているので、パソコンを利用しないシステムでも使用することを可能としている。
【００１６】
上記（１５）に記載する鍵収納装置では、サーバが予約を受け付けるので、例えば、距離の遠い鍵付保管庫に書類を取りに行くときに、誰かが先にその鍵付保管庫を開いている場合であって、その人が、使い終わって鍵を鍵収納装置に収めて戻ってきても、予約した人は、鍵収納装置に行けば、その予約の効果により鍵を入手できるため利便性を高めることができる。
【発明を実施するための最良の形態】
【００１７】
次に、本発明に係る鍵収納装置の一実施の形態について図面を参照して説明する。
図１に本発明の鍵収納装置の全体構成を示す。鍵付保管庫である書庫１１、書庫１２、薬品庫１３が床と壁に固設されている。
書庫１１の扉１６ａには、鍵１７ａ及び鍵収納箱１４ａが設置されており、扉１６ｂには、鍵１７ｂ及び鍵収納箱１４ｂが設置されている。
書庫１２の扉１６ｃには、鍵１７ｃ及び鍵収納箱１４ｃが設置されており、扉１６ｄには、鍵１７ｄ及び鍵収納箱１４ｄが設置されている。また、薬品庫１３の各扉には、鍵収納箱１４ｅ，１４ｆ，１４ｇ，１４ｈ，１４ｉが設置されている。
書庫１１の上面には、鍵収納箱開閉制御ユニットである制御ユニット１５が固設されている。制御ユニット１５と各鍵収納箱とは、制御線１８により各々接続されている。
書庫１１の近くの机２４の上には、パソコン２０、モニタ２１、キーボード２２、携帯電話ＩＣチップ読み込み器２３が置かれている。机２４の引き出しにも、鍵１７ｊ，１７ｋが施錠され、各々の鍵の近くに鍵収納箱１４ｊ，１４ｋが設置されている。パソコン２
０は、信号線１９により、制御ユニット１５と接続されている。
制御線１８は、書庫１１，１２及び薬品庫１３の内部を通って配線されている。
【００１８】
次に、鍵収納箱１４の構造について説明する。図２に保管庫の扉の外板１６に鍵収納箱１４が取り付けられている状態を断面図で示す。外板１６の外側には、鍵収納部本体３２及び遮蔽手段である外カバー３０が取り付けられている。外板１６の内側には、内カバー３１が取り付けられている。
鍵収納箱１４を外側から見た斜視図を図４に示す。外カバー３０の左側の外板にＬＥＤ６９が固設されている。図３は、外カバー３０を開放した状態を示す。外カバー３０は，蝶つがいにより開閉可能に鍵収納部３２に取り付けられている。外カバー３０の内側面には、孔４８の中間位置にピン４７が溶接されている。ピン４７の対応する位置に、鍵収納部本体３２に切欠き孔４６が形成されている。
鍵収納部本体３２の中央部には、鍵Ｋを収納するための空間３４が形成されている。実践で示すＫ１は鍵Ｋが収納されている状態を示し、一点鎖線Ｋ２は鍵Ｋが外へ引き出されつつある状態を示している。鍵Ｋは、ワイヤ３５により鍵収納箱１４に連結されている。
【００１９】
図５に、鍵収納部本体３２の裏面を斜視図で示す。鍵収納部本体３２の左端には、一対の蝶つがい用の棒が固設されている。ワイヤ３５は、案内部６０を介してワイヤ収納ボックス３６に入っている。ワイヤ収納ボックス３６の内部構造は詳細に説明しないが、ワイヤ３５を引っ張り込む力を発生するばねが組み込まれており、人が鍵Ｋを引出した後、手を離すと自動的にワイヤ３５は、ワイヤ収納ボックス３６内に収納される。
ワイヤ収納ボックス３５の斜め上に鍵検出器である光センサ３７が付設されている。鍵収納部本体３２を構成する板４１には、４つのねじ孔４０が形成されている。
【００２０】
図６に、鍵収納部本体３２と内カバー３１とを、外板１６に取り付けるための取り付け構造を分解斜視図で示す。外板１６には、中心部にワイヤ収納ボックスが、外板１６の内側に突き出すための逃げ孔５３が形成されている。また、鍵収納部本体３２に形成された４つの取付爪４４が、外板１６の内側に突き出すための逃げ孔５４が４箇所形成されている。また、逃げ孔５４の外側に４箇所、ねじ孔４０に対応してバカ孔５７が形成されている。また、逃げ孔５３の右側にロックソレノイド４３が、外板１６の内側に突き出すための逃げ長孔５６が形成されている。また、逃げ長孔５６の下側にＬＥＤ開閉スイッチ６９用の逃げ孔５４が形成されている。ＬＥＤ開閉スイッチ６９は、スイッチ機能と表示機能を併せ持つスイッチである。また、逃げ長孔５６の左側には、ロックソレノイド４３を付設するためのねじ孔６３が２箇所形成されている。
本実施例の鍵収納箱を既存の鍵付保管庫に設置するには、逃げ孔５３，５４，５６，５７と、バカ孔５５、ねじ孔６３等を現場で加工すれば良いだけであり、溶接等を行わなくても、鍵収納箱を強固に外板１６に密着して固定できる。
【００２１】
次に、図６及び図７を参照して、鍵収納箱１４を外板１６に密着して締結する取付方法を説明する。図７に、外板１６に対して外側から鍵収納部本体３２を取り付けた状態を示す。始めに、外板１６に逃げ孔５３，５４，５６，５７、バカ孔５５、及びねじ孔６３を加工する。次に、鍵収納部本体３２に外カバー３０が取り付けられた状態で、逃げ孔５４から４つの取付爪４０を外板１６の内側に入れる。外カバー３０は、鍵収納部本体３２を外板１６に締結した状態では、鍵収納部本体か３２ら取り外し不能となっている。
そして、ブラケット３８の板部３８ａを取付爪４４に引っ掛けた状態でねじ４２を締結する。同様に、ブラケット３９の板部３９ａを取付爪４０に引っ掛けた状態でねじ４２を締結する。
これにより、鍵収納部本体３２は、４箇所の取付爪４０がブラケット３８，３９としっかり係合して、鍵収納部本体３２を外板１６に密着させて締結できるため、無理に破損させることが難しくなる。
【００２２】
次に、ロックソレノイド４３が取り付けられているブラケット６２を、ねじ孔６３に、２本のねじで締結する。そのとき、図８に示すように、ロックレバー４９の先端爪部は外板１６の外側に突き出しており、外カバー３０のピン４７と係合可能である。図８の（ａ）は、ロックされている状態を示し、（ｂ）はロックが解除されている状態を示す。ロックレバー４９は、支点５１を中心に回転可能に取り付けられており、通常は、ばねによりプランジャが突き出ており、（ａ）のようにロック状態にある。そして、ソレノイド４３へ通電して駆動することにより、解除状態となる。
そして、最後に内カバー５８を取り付ける。内カバー５８の上内側には凸部材６７が溶接されている。この凸部材６７をブラケット３８の孔部６５に挿入した状態で、鍵５９を作用させてレバー６８を回転させてブラケット３９の孔部６６に挿入することにより、外カバー５８が、ブラケット３８，３９から外すことができなくなる。
【００２３】
次に、鍵検出器３７について説明する。図９及び図１０に示すように、ワイヤ案内部６０には、ブラケット６１が搖動可能に取り付けられており、ワイヤ３５がワイヤ収納ボックスに引っ張り込まれたときに、鍵Ｋの鍵リングＫＲがブラケット６１を押し上げる。押し上げられたブラケット６１は、光センサ３７を遮るため、光センサ３７は、鍵の有無を検出可能である。もし、ワイヤ３５が切断されて鍵Ｋが盗まれると、ワイヤ３５は終端までワイヤ収納ボックス３６に収納されてしまい、ブラケット６１が押し上げられないため、鍵検出が行われない。
【００２４】
次に、制御ユニット１５について説明する。制御ユニット１５の構成を図１１に示す。制御ユニット１５は、ＣＰＵ７１、ＲＡＭ７２、ＲＯＭ７３、ハードディスク等で構成されるアクセスデータ記憶手段７５及び図示しないＩ／Ｏにより構成されている。制御ユニット１５は、パソコン２０と信号線１９により接続されている。また、制御ユニット１５は、制御線１８により、鍵収納箱１４の各ソレノイド４３に接続している。ＲＯＭ７３には、カバー開閉プログラム７４が記憶されている。
カバー開閉プログラム７４の内容を、図１２にフローチャートで示す。
パソコンから開放許可信号が入力した場合（Ｓ１；ＹＥＳ）、開放許可指令の対象となる当該鍵収納箱のＬＥＤ開閉スイッチ６９を点灯する（Ｓ２）。次に、ＬＥＤ開閉スイッチ３６がオンされると（Ｓ２；ＹＥＳ）、当該ソレノイド４３に通電して、カバーをロックしているロックレバー４９を図８（ａ）のロック状態から、図８（ｂ）の解除状態へと変化させる（Ｓ４）。  
次に、鍵検出器が一度オフした後（Ｓ５；ＹＥＳ）、そして再びオンした後（Ｓ６；ＹＥＳ）、ＬＥＤ開閉スイッチ６９がオンすると（Ｓ７；ＹＥＳ）、当該ソレノイド４３への通電を中止して、ロックレバー４９を図８（ｂ）の解除状態から、図８（ａ）のロック状態へと変化させ（Ｓ８）、カバーを閉鎖状態でロックする。
【００２５】
次に、上記構成を有する鍵収納装置の作用について説明する。
鍵収納箱１４は、鍵Ｋを収納した鍵収納部本体３２を外部から閉鎖する外カバー３０を有しており、また、外カバー３０の閉鎖状態をロックするロックソレノイド４３が設けられているので、通常は、ロックレバー４９がピン４７に係合しているため、鍵を取り出すことができない。
鍵付保管庫内の書類を見る場合には、パソコン２０の、携帯電話ＩＣチップ読み込み器２３により、個人認証をしてもらい、自分が当該鍵付保管庫に対するアクセス権を有することをパソコン２０に認識してもらうことが必要である。パソコン２０は、携帯電話読み取り器２３で個人を認識した場合には、鍵収納箱の開放を許可する開放許可指令を制御ユニット１５に送信する。制御ユニット１５は、パソコン２０から送信されたデータ、すなわち識別された個人、開放する鍵収納箱、その時間、異常発生の有無等をアクセスデータ
記憶手段７５に記憶する。制御ユニット１５は、開放許可信号が出ていないのに、光センサ３７が鍵Ｋを検出しなくなった場合には、異常が発生したと判断して、その日時をアクセスデータ記憶手段７５に記憶する。パソコン２０もアクセスデータを記憶しているが、パソコン２０に問題が発生していてアクセスデータを記憶できない場合でも、制御ユニット１５がアクセスデータを記憶しているので、セキュリティをより高めることができる。
【００２６】
制御ユニット１５は、当該開放許可指令受けると、該当する鍵収納箱１４のＬＥＤ開閉スイッチ６９を点灯させる。その個人は、ＬＥＤ開閉スイッチ６９が点灯しているのを確認して、ＬＥＤ開閉スイッチ６９を操作することにより、ロックレバー４９とピン４７との係合を解除する。これにより、その個人は、外カバー３０を開いて収納されている鍵Ｋを取り出して、鍵付保管庫の扉を開くことができる。
鍵Ｋは、ワイヤ３５により、ワイヤ収納ボックス３６に連結されているので、鍵Ｋを持ち去ることはできない。また、ワイヤ３５を切断した場合、鍵Ｋを検出していて、鍵Ｋを検出しないとロックソレノイド４３が作動しないため、装置側で異常を知ることができる。
【００２７】
以上詳細に説明したように、本実施例の鍵収納装置によれば、書類を収納する鍵付保管庫１１，１２，１３の鍵Ｋを保管するための鍵収納装置において、（ａ）鍵付保管庫１１，１２，１３の外板１６に密着して締結するための取付爪４０、ブラケット３８，３９と、鍵Ｋを収納した鍵収納部本体３２を閉鎖する外カバー３０と、外カバー３０の閉鎖状態をロックするロックソレノイド４３とを備える鍵収納箱１４と、（ｂ）個人を識別し、識別した個人に対して鍵収納箱の開放を許可する開放許可指令を送信するパーソナルコンピュータ２０と接続され、開放許可指令を受けて、鍵収納箱１４のロックソレノイド２０を駆動してロックレバー４９のロック解除する制御ユニット１５とを有するので、既設の鍵付保管庫１１，１２，１３の複数の鍵１７の近傍に各々鍵収納箱１４を設けることができ、また、個別の鍵収納箱１４には、識別機能を必要とせず、個人の識別は既存のパソコン２０を利用できるため、安価かつ適切な鍵保管システムを提供することができる。
【００２８】
また、本実施例の鍵収納装置は、鍵収納箱１４が、鍵付保管庫１１，１２，１３の鍵穴１７近傍に締結され、鍵Ｋと鍵収納箱１４とを連結するワイヤ３５とを有しているので、無駄な距離を歩いて鍵集中管理ボックスに行く時間を節約できる。
また、本実施例の鍵収納装置は、鍵Ｋを検出する光センサ３７と、光センサ３７が鍵Ｋを検出していないときには、ロックソレノイド４３を駆動して閉鎖状態をロックすることを禁止するロック禁止プログラム（Ｓ６）とを有しているので、ワイヤ３５が切断されて鍵Ｋが盗まれたときに、異常を検知することができる。
【００２９】
さらに、本実施例の鍵収納装置の鍵収納箱１４は、鍵収納箱１４のうち、ワイヤ３５を収納するワイヤ収納ボックス３６が、鍵付保管庫１１，１２，１３の外板１６の内側に突き出しているので、外板１６の外側に突き出している部分が小さくなるため、既存の鍵付保管庫１１，１２，１３に後付工事で追加した場合でも、通行等の邪魔になることを少なくできる。
さらに、本実施例の鍵収納装置の鍵収納箱は、ロックソレノイド４３が、鍵保管庫１１，１２，１３の外板１６の内側に取り付けられているので、外板１６の外側に突き出している部分が小さくなるため、既存の鍵付保管庫１１，１２，１３に後付工事で追加した場合でも、通行等の邪魔になることを少なくできる。
【００３０】
さらに、本実施例の鍵収納装置は、パーソナルコンピュータが、携帯電話に内蔵されたＩＣチップを読み込むことにより、個人を識別しているので、余分な物を持つ必要がないため、各人にとって利便性を高めることができる。
さらに、本実施例の鍵収納装置は、鍵収納箱開閉制御ユニットが、鍵を取り出した人、
時間を記憶しているので、個人情報の漏洩等の問題が発生したときに、調査することができる。特に、パーソナルコンピュータ側でなく、ユニット側のアクセスデータ記憶手段７５にデータを持たせているので、パソコンを利用しないシステムでも使用することを可能としている。
【００３１】
次に、本発明の第２の実施例を図１３に基づいて説明する。
基本的な構成及び作用効果は、第１実施例の同じなので、同じ装置には第１実施例と同じ番号を付して説明を割愛し、相違する点のみ説明する。複数のパソコン２０Ａ，２０Ｂ，２０Ｃがネットワーク８０により、サーバＳと接続し、また、複数の制御ユニット１５Ａ，１５Ｂ，１５Ｃと接続している。
ビルの複数階に書庫等の鍵付保管庫が配置されている場合、特に、重要書類であっても普段使用しない書類は地下倉庫等に配置された書類保管庫に保存されている場合がある。その場合に、パソコン２０で実施例１の操作を行ったときに、既に先使用者がいて、鍵が開放されているときに、後使用者が予約できないと問題が発生する。すなわち、先使用者が地下保管庫を開放しているからと思って、後使用者が地下に行くとすれ違いで、保管庫が閉められていると、後使用者は、再びパソコン２０のある場所まで、再操作を行いに行く手間がかかってしまう。
その問題を回避するために、第２の実施例では、後使用者に予約させている。すなわち、先使用者が鍵収納箱の開放をしているときに、後使用者はパソコン２０で開放の予約を行うことができる。サーバは、先使用者に対する開放許可指令が出ている場合に、制御ユニット１５にプログラムされている予約プログラムにより、予約することができる。これにより、自分が鍵収納箱に行ったときに、先使用者が鍵収納箱を閉じた後でも、鍵収納箱を開放することができる。
【００３２】
制御ユニットには、パソコン２０から開放許可指令を受けた後、第１所定時間経過後にＬＥＤ開閉スイッチ６９を点灯するプログラムも持っている。各個人が、自分のパソコン２０から使用する鍵付保管庫までの移動時間を予め第１所定時間として登録しておくことにより、その人が保管庫に到達する前に、他人がＬＥＤ開閉スイッチ６９を操作して鍵を入手することを禁止するためである。
また、ＬＥＤ開閉スイッチ６９が点灯した後、第２所定時間経過すると、自動的に点灯を中止して、鍵収納箱の開放許可を取消す機能を有している。  
【００３３】
次に、本発明の第３実施例について説明する。本実施例は、鍵を保管するのにキーホルダを用いていること、外カバーをロックする構造が、第１実施例と異なるのみで他の基本的構成は第１実施例とほぼ同じであるので、異なる点のみ詳細に説明し、後は説明を割愛する。
図１４に鍵収納箱１４を単独で取り出したときの斜視図を示す。鍵Ｋ１は、キーホルダ９０に取り付けられている。実線で示すＫ１は、鍵が収納箱にロックされている状態を示し、２点鎖線のＫ２は、鍵がロック解除され取り出されている状態を示している。
本実施例では、キーホルダ９０を差し込むと、キーホルダロックユニット９１がキーホルダ９０をロックする構成となっている。キーホルダロックユニット９１は、公知の技術なので詳細な説明を省略する。
【００３４】
図１５に、第３実施例の鍵収納箱の鍵収納部本体３２と内カバー５８とを、外板１６に取り付けるための取り付け構造を分解斜視図で示す。外板１６には、中心部にキーホルダロックユニット９１が、外板１６の内側に突き出すための逃げ孔９２が形成されている。また、鍵収納部本体３２に形成された４つの取付爪４４が、外板１６の内側に突き出すための逃げ孔５４が４箇所形成されている。また、逃げ孔５４の外側に６箇所、ねじ孔４０に対応してバカ孔５７が形成されている。また、逃げ孔５３の右側にロックソレノイド４３が、外板１６の内側に突き出すための逃げ長孔５６が形成されている。また、逃げ長孔５６の下側にＬＥＤ開閉スイッチ６９用の逃げ孔５４が形成されている。
本実施例の鍵収納箱を既存の鍵付保管庫に設置するには、逃げ孔９２，５４，５６と、バカ孔５７、ねじ孔６３等を現場で加工すれば良いだけであり、溶接等を行わなくても、鍵収納箱を強固に外板１６に密着して固定できる。
図１６に、第３実施例の鍵収納箱が外板１６に取り付けられている状態の斜視図を示す。図１７に、内カバー５８が取り付けられている状態を示す斜視図を示す。
【００３５】
次に、本発明の第４実施例について説明する。本実施例は、外カバーを備えない構造となっていることが、第１実施例と異なるのみで他の基本的構成は第１実施例とほぼ同じであるので、異なる点のみ詳細に説明し、後は説明を割愛する。
図１８に、第４実施例の収納板９５を単独で取り出したときの斜視図を示す。鍵Ｋ１は、第１実施例と同様にワイヤに取り付けられている。実線で示すＫ１は、鍵が収納板９５に収納されロックされている状態を示し、２点鎖線のＫ２は、鍵がロック解除され取り出されつつある状態を示している。
図１９に、第３実施例の鍵収納板９５を、外板１６に取り付けるための取り付け構造を分解斜視図で示す。外板１６には、ワイヤを通すための逃げ孔１００が形成され、その上にＬＥＤ開閉スイッチ６９を通すための逃げ孔９９が形成されている。また、逃げ孔１００，９９の外側に６箇所、収納板９５に溶接等により固設された６本のねじ９６を通すためのバカ孔１０１が形成されている。
【００３６】
本実施例の鍵収納箱を既存の鍵付保管庫に設置するには、逃げ孔９９，１００と、バカ孔１０１等を現場で加工すれば良いだけであり、溶接等を行わなくても、鍵収納箱を強固に外板１６に密着して固定できる。第１乃至３実施例と比較して、外板１６に対する追加工が少なくて済むという利点がある。
図２０に、第４実施例の鍵収納板９５が外板１６に取り付けられている状態の斜視図を示す。図２１に、内カバー５８が取り付けられている状態を示す斜視図を示す。
【００３７】
次に、本発明の第５実施例について説明する。本実施例は、外カバーを備えない構造となっていることが、第３実施例と異なるのみで他の基本的構成は第３実施例とほぼ同じであるので、異なる点のみ詳細に説明し、後は説明を割愛する。
図２２に、第４実施例の収納板９５を単独で取り出したときの斜視図を示す。鍵Ｋ１は、キーホルダ１００に取り付けられている。実線で示すＫ１は、鍵が収納箱にロックされている状態を示し、２点鎖線のＫ２は、鍵がロック解除され取り出されている状態を示している。
本実施例では、キーホルダ１００を差し込むと、キーホルダロックユニット９１がキーホルダ９０をロックする構成となっている。キーホルダロックユニット９１は、公知の技術なので詳細な説明を省略する。
図２３に、第５実施例の鍵収納板９５を、外板１６に取り付けるための取り付け構造を分解斜視図で示す。外板１６には、中心部にキーホルダロックユニット９１が、外板１６の内側に突き出すための逃げ孔９２が形成され、その上にＬＥＤ開閉スイッチ６９を通すための逃げ孔９９が形成されている。また、逃げ孔９２，９９の外側に４箇所、収納板９５に溶接等により固設された４本のねじ９６を通すためのバカ孔１０１が形成されている。
本実施例の鍵収納箱を既存の鍵付保管庫に設置するには、逃げ孔９９，９２と、バカ孔１０１等を現場で加工すれば良いだけであり、溶接等を行わなくても、鍵収納箱を強固に外板１６に密着して固定できる。第１乃至３実施例と比較して、外板１６に対する追加工が少なくて済むという利点がある。
【００３８】
次に、本発明の第６実施例について説明する。本実施例は、ＬＥＤ開閉スイッチ６９の代わりにＩＣチップリーダ１２０が取付けられていることが、第１実施例と異なるのみで他の基本的構成は第１実施例と同じであるので、異なる点のみ詳細に説明し、後は説明を割愛する。
図２４に示すように、ＩＣチップリーダ１２０が、鍵収納箱の上部に連結されている。ＬＥＤ開閉スイッチ６９では、通りかかった人がＬＥＤ開閉スイッチ６９を押せば、鍵を取り出しことができてしまう。それを回避するために、使用者は、パソコン２０で第１実施例と同じ操作を行った後、鍵収納箱の所で、携帯電話のＩＣチップをＩＣチップリーダ１２０に接近させることにより、鍵を使用することが可能となる。このため、通りかかった人が鍵を使用できなくなり、セキュリティが向上する。
図２５は、ＩＣチップリーダ１２０を第３実施例の鍵収納箱に取り付けたときの斜視図を示す。作用は、図２４の場合と同じなので説明を省略する。
図２６は、ＩＣチップリーダ１２０を第４実施例の鍵収納板９５に取り付けたときの斜視図を示す。作用は、図２４の場合と同じなので説明を省略する。
図２７は、ＩＣチップリーダ１２０を第５実施例の鍵収納板９５に取り付けたときの斜視図を示す。作用は、図２４の場合と同じなので説明を省略する。
【００３９】
次に、本発明の第７実施例について説明する。本実施例は、第５実施例において、キーホルダ１００を使用せずに、鍵Ｋを直接ロックして抜けなくする機構を有していることが、第５実施例と異なるのみで他の基本的構成は第５実施例と同じであるので、異なる点のみ詳細に説明し、後は説明を割愛する。外板１６には、鍵を挿入するための逃げ孔１０２が形成されている。
また、鍵を直接ロックする鍵ロック機構１２１は、周知技術であるので、詳細な説明を省略する。
図３０は、ＩＣチップリーダ１２０を第７実施例の鍵収納箱に取り付けたときの斜視図を示す。作用は、図２４の場合と同じなので説明を省略する。
【００４０】
尚、本発明の実施の形態について説明したが、本発明は、上記実施の形態に限定されることなく、色々な応用が可能である。
（１）例えば、本実施例では、個人識別装置として既存のパソコンを利用したが、指紋検出器、手の静脈検出器等の個人識別装置を使用しても良い。また、本実施例では、パソコンで携帯電話に内蔵されたＩＣチップを読み込むことで個人識別しているが、これにパソコンへのパスワード入力を重複条件とすれば、セキュリティをより高めることができる。（２）例えば、本実施例では、制御ユニット１５を書庫１１の上面に外付けしているが、書庫１１等の内部に取り付けるとセキュリティが向上する。
【図面の簡単な説明】
【００４１】
【図１】本発明の第１実施例の鍵収納装置の全体を示す図である。
【図２】保管庫の扉の外板１６に鍵収納箱１４が取り付けられている状態示す断面図である。
【図３】外カバー３０を開放した状態を示す図である。
【図４】鍵収納箱１４を外側から見た斜視図である。
【図５】鍵収納部本体３２の裏面を示す斜視図である。
【図６】取り付け構造を示す分解斜視図である。
【図７】外板１６に対して外側から鍵収納部本体３１を取り付けた状態を示す図である。
【図８】カバーロック手段を示す図である。
【図９】鍵検出器を示す図である。
【図１０】鍵検出器の作用を示す図である。
【図１１】制御ユニット１５の構成を示す図である。
【図１２】カバー開閉プログラム７４のフローチャートである。
【図１３】第２実施例の鍵収納装置の全体を示す図である。
【図１４】第３実施例の鍵収納箱１４を単独で取り出したときの斜視図である。
【図１５】第３実施例の鍵収納箱１４の外板１６に対する取付構造を示す分解斜視図である。
【図１６】第３実施例の鍵収納箱１４を内側から見た斜視図である。
【図１７】第３実施例の鍵収納箱１４の内カバー５８を示す斜視図である。
【図１８】第４実施例の鍵収納板９５を単独で取り出したときの斜視図である。
【図１９】第３実施例の鍵収納板９５の外板１６に対する取付構造を示す分解斜視図である。
【図２０】第４実施例の鍵収納板９５を内側から見た斜視図である。
【図２１】第４実施例の鍵収納板９５の内カバー５８を示す斜視図である。
【図２２】第５実施例の鍵収納板９５を単独で取り出したときの斜視図である。
【図２３】第５実施例の鍵収納板９５の外板１６に対する取付構造を示す分解斜視図である。
【図２４】第１実施例の鍵収納箱１４にＩＣチップリーダ１２０を連結させている斜視図である。
【図２５】第３実施例の鍵収納箱１４にＩＣチップリーダ１２０を連結させている斜視図である。
【図２６】第４実施例の鍵収納板９５にＩＣチップリーダ１２０を連結させている斜視図である。
【図２７】第５実施例の鍵収納板９５にＩＣチップリーダ１２０を連結させている斜視図である。
【図２８】第７実施例の鍵収納板９５を単独で取り出したときの斜視図である。
【図２９】第７実施例の鍵収納板９５の外板１６に対する取付構造を示す分解斜視図である。
【図３０】第７実施例の鍵収納板９５にＩＣチップリーダ１２０を連結させている斜視図である。
【符号の説明】
【００４２】
１４  鍵収納箱
１５  制御ユニット
１６  外板
２０  パソコン
３０  外カバー
３２  鍵収納部本体
３８，３９  ブラケット
４０  取付爪
４３  ロックソレノイド
４９  ロックレバー
【図１】
2006249889.tif 000003
【図２】
2006249889.tif 000004
【図３】
2006249889.tif 000005
【図４】
2006249889.tif 000006
【図５】
2006249889.tif 000007
【図６】
2006249889.tif 000008
【図７】
2006249889.tif 000009
【図８】
2006249889.tif 000010
【図９】
2006249889.tif 000011
【図１０】
2006249889.tif 000012
【図１１】
2006249889.tif 000013
【図１２】
2006249889.tif 000014
【図１３】
2006249889.tif 000015
【図１４】
2006249889.tif 000016
【図１５】
2006249889.tif 000017
【図１６】
2006249889.tif 000018
【図１７】
2006249889.tif 000019
【図１８】
2006249889.tif 000020
【図１９】
2006249889.tif 000021
【図２０】
2006249889.tif 000022
【図２１】
2006249889.tif 000023
【図２２】
2006249889.tif 000024
【図２３】
2006249889.tif 000025
【図２４】
2006249889.tif 000026
【図２５】
2006249889.tif 000027
【図２６】
2006249889.tif 000028
【図２７】
2006249889.tif 000029
【図２８】
2006249889.tif 000030
【図２９】
2006249889.tif 000031
【図３０】
2006249889.tif 000032